(57)【要約】【課題】  ノズルカバーを簡単にノズルヘッドに装着できるようにした目詰まり防止用の液体吐出器を提供すること。【解決手段】  ポンプのステムに取着されたノズルヘッドと、ノズルカバーとを備えた液体吐出装置であって、ノズルヘッドは、ヘッド基体と吐出ノズルとからなり、ヘッド基体の頂壁上面には、軸ピンを具えた支持片を立設しており、ノズルカバーは、ヘッド基体を覆うカバー基体と、吐出ノズルの吐出口を開閉する蓋板を具えたノズル蓋部とからなり、カバー基体の頂壁下面に、前記支持片の軸ピンを抱持する軸受け部を設け、ノズルヘッドのヘッド基体と、ノズルカバーのカバー基体の間に、ばね部材が弾装されていることを特徴とする。【選択図】  図１
2008114862.tif 000002
【特許請求の範囲】
【請求項１】
ポンプのステムに取着されたノズルヘッドと、ノズルカバーとを備えた液体吐出装置であって、
ノズルヘッドは、ヘッド基体と吐出ノズルとからなり、
ヘッド基体の頂壁上面には、軸ピンを具えた支持片を立設しており、
ノズルカバーは、ヘッド基体を覆うカバー基体と、吐出ノズルの吐出口を開閉する蓋板を具えたノズル蓋部とからなり、
カバー基体の頂壁下面に、前記支持片の軸ピンを抱持する軸受け部を設け、
ノズルヘッドのヘッド基体と、ノズルカバーのカバー基体の間に、ばね部材が弾装されていることを特徴とする液体吐出器。
【請求項２】
ばね部材が、断面Ｕ字形の弾性体によって形成され、
ヘッド基体の頂壁に、ばね部材の支持部が設けられていることを特徴とする請求項１記載の液体吐出器。
【請求項３】
ばね部材が、断面長円形に連続する弾性体によって形成され、
ヘッド基体の頂壁に、ばね部材の支持部が設けられていることを特徴とする請求項１記載の液体吐出器。
【請求項４】
ばね部材が、支持環と、支持環に等間隔に配設され、螺旋状に延びるスプリングとスプリング上端を連結する押さえ環によって形成され、
ヘッド基体に、ばね部材の支持部が設けられていることを特徴とする請求項１記載の液体吐出器。
【発明の詳細な説明】
【技術分野】
【０００１】
本発明は、液体吐出器、とくにノズルの吐出口の目詰まりを防止するようにした液体吐出器に関するものである。
【背景技術】
【０００２】
シャンプー、リンス、化粧料、液体石鹸、洗剤、洗濯仕上げ剤等の内容物が充填されたボトルに被着される液体吐出装置は、従来より周知である。
従来周知の液体吐出装置は、ノズル内面に内容物を付着させたまま長時間放置すると、内容物が固化し、吐出ノズル内面に固着し、ノズル孔が狭くなって吐出不良となったり、時には目詰まりを起すことがあった。
このような不都合をなくすため、吐出ノズルの吐出口を開閉する蓋板を具えたノズルカバーをノズルヘッドに取付けたものも従来より知られている（特許文献１参照）。
【特許文献１】実公平６−３４８５４号公報
【発明の開示】
【発明が解決しようとする課題】
【０００３】
しかしながら、上記従来の液吐出装置は、ノズル孔を閉鎖する蓋板部（２７）を具えたノズルカバーに、軸部（２８）を設け、該軸部（２８）を吐出ノズルに設けた枢着溝（１５）内に係合させ、軸部端部を軸受孔（１９）（１９）に挿入させるようにしており、ノズルカバーの取付時に、軸と軸受孔の係合を必要とするので、ノズルカバーとノズルヘッドを簡単に、能率よく組み立てることができなかった。
【０００４】
本発明は、上記問題を解決することを課題として、ノズルカバーを簡単にノズルヘッドに装着できるようにした目詰まり防止用の液体吐出器を提供することを目的とする。
【課題を解決するための手段】
【０００５】
本発明は、上記の課題を解決するため、液体吐出器として、ポンプのステムに取着されたノズルヘッドと、ノズルカバーとを備えた液体吐出装置であって、ノズルヘッドは、ヘッド基体と吐出ノズルとからなり、ヘッド基体の頂壁上面には、軸ピンを具えた支持片を立設しており、ノズルカバーは、ヘッド基体を覆うカバー基体と、吐出ノズルの吐出口を開閉する蓋板を具えたノズル蓋部とからなり、カバー基体の頂壁下面に、前記支持片の軸ピンを抱持する軸受け部を設け、ノズルヘッドのヘッド基体と、ノズルカバーのカバー基体の間に、ばね部材が弾装されていることを特徴とする構成を採用する。
【０００６】
ばね部材の実施例として、ばね部材が、断面Ｕ字形の弾性体によって形成され、ヘッド基体の頂壁に、ばね部材の支持部が設けられていることを特徴とする構成、または、ばね部材が、断面長円形に連続する弾性体によって形成され、ヘッド基体の頂壁に、ばね部材の支持部が設けられていることを特徴とする構成、或いは、ばね部材が、支持環と、支持環に等間隔に配設され、螺旋状に延びるスプリングとスプリング上端を連結する押さえ環によって形成され、ヘッド基体に、ばね部材の支持部が設けられていることを特徴とする構成を採用する。
【発明の効果】
【０００７】
ノズルヘッドのヘッド基体の上面に軸ピンを具えた支持片を立設し、カバー基体の頂壁下面に軸ピンを抱持する軸受け部を設けているので、カバー基体の頂壁を押下げることによって吐出ノズルの吐出口を開閉するとともに、ポンプを押下げ、内容液を吐出することが簡単な操作でできるようになった。
また、軸受け部を軸ピンに押圧することによって、カバー基体を上方から簡単に取着することができるようになり、生産性を向上させることができた。
【０００８】
ばね部材が、合成樹脂製の弾性体、または、スプリングであるから所望する弾発力が容易に得られ、また、ばね部材を、ヘッド基体に支持部を設け、ヘッド基体とカバー基体との間に弾装するようにしているから、取付が簡単になった。
【発明を実施するための最良の形態】
【０００９】
次に、本発明の液体吐出装置について、実施例をあげ、図面を参照して説明する。
【実施例１】
【００１０】
図１において、Ａは容器、Ｂは取付キャップ、Ｃは取付キャップＢを介して容器Ａに取着されたポンプ、ＤはポンプＣの先端に取着されたノズルヘッド、Ｅはノズルカバーである。
容器Ａには、内容物として、シャンプー、化粧料、液体洗浄剤、洗剤、洗濯仕上げ剤等の家庭用品が収納されている。
【００１１】
ポンプＣは、図１、２に示すように、容器Ａの口筒部１に取付キャップＢにより装着され、シリンダー２とピストン部材３とを具えている。
シリンダー２の上端には、ピストン部材３の上下動を案内するとともに、ノズルヘッドＤを最下位置に保持する案内筒４が取着されており、ピストン部材３上端のステム５には、ノズルヘッドＤが装着されている。
【００１２】
ポンプＣは、従来より周知のものが使用され、吸上げパイプ６より容器Ａ内の内容液を吸込み、ピストン部材３のステム５から吐出できるものであればよく、その構成は、とくに限定されない。
【００１３】
ノズルヘッドＤは、図２、３に示すように、ヘッド基体１０と吐出ノズル１１とからなっている。
ヘッド基体１０は、頂壁１２と側周壁１３、および頂壁１２の中央部より垂設され、ステム５に嵌着する嵌着筒１４とを具えており、嵌着筒１４から吐出ノズル１１に通じる流路１５が形成されている。
側周壁１３の所定の位置から吐出ノズル１１が連設されており、吐出ノズル１１の先端部は、吐出口１６となっている。
【００１４】
頂壁１２の上面には、ノズルヘッドＤとノズルカバーＥとの間に弾装されるばね部材２０の支持孔２１と支持凹部２２が設けられて支持部が形成されており、頂壁１２の吐出ノズル１１側の端縁には、先端に軸ピン２３を設けた支持片２４が立設されている。
【００１５】
ノズルカバーＥは、ヘッド基体１０を覆うカバー基体２５と、吐出ノズル１１を覆うノズル蓋部２６とからなり、軸ピン２３を中心に揺動するようになっている。
カバー基体２５は、頂壁２７と側周壁２８とを具えており、吐出ノズル１１の反対側の側周壁２８下端３０は、揺動時にヘッド基体１０の側周壁１３に当接しないように形成されている。
【００１６】
ノズル蓋部２６は、上壁３１と側壁３２、上壁３１の先端から垂設され、吐出ノズル１１の吐出口１６を開閉する蓋板３３とからなっている。
ノズルカバーＥの頂壁２７と上壁３１の間には、ヘッド基体１０に設けた軸ピン２３を抱持する下端に係合部３４を具えた軸受け部３５が配設されている。
【００１７】
前記ばね部材２０は、合成樹脂によって成形され、断面Ｕ字形の弾性体３６と脚部３７とからなり、弾性体３６は、支持凹部２２に載置され、脚部３７は、支持孔２１に嵌合され、カバー基体２５は、ばね部材２０によって上方に付勢されている。
【００１８】
次に、本液体吐出装置の作用効果について説明する。
使用にあたって、ノズルカバーＥの頂壁２７を押圧していくと、図４に示すように、ばね部材２０が弾圧される。
頂壁２７の押圧に伴い、まず、ノズル蓋部２６が、軸ピン２３を軸に廻動し、蓋板３３が吐出ノズル１１の吐出口１６より上方に上昇して吐出口１６を開放する。
【００１９】
続いて、ノズルカバーＥを押下げていくと、ばね部材２０がさらに変形し、ノズルカバーＥとともにノズルヘッドＤが押下げられる。
ノズルヘッドＤの押下げに応じて、ポンプＣが作動し、吐出ノズル１１から内容物を吐出する。
したがって、吐出口１６が開放した後に、内容物の吐出が始まることになる。
ノズルカバーＥの押下げを解くと吐出が止まり、ポンプＣ内のばねの付勢によりノズルヘッドＤは上昇する。
【００２０】
内容物の吐出を止めるときには、ノズルカバーＥから手を離すと、ノズルカバーＥは、ばね部材２０の弾発力により上方に押上げられ、ノズル蓋部２６は、支持片２４の軸ピン２３を中心として廻動し、蓋板３３が、下降し、吐出口１６が閉鎖される。
【００２１】
したがって、吐出後に、吐出ノズル１１内の内容液によって液だれを起こすことはなく、また、蓋板３３によって大気の浸入を阻止することができるので、内容物が固化し、吐出ノズル１１内面に付着して目詰まりを起こすようなことはない。
そして、ノズルカバーＥは、ノズルヘッドＤの全体を覆うので、シャワー等のある浴室等での使用に適する。
また、ノズルカバーＥは、揺動させるだけであるので、操作は簡単で確実である。
【００２２】
さらに、ヘッド基体１０の頂壁１２に軸ピン２３を設けた支持片２４を立設し、ノズルカバーＥに設けた軸受け部３５を嵌挿するだけでよいので、ノズルカバーＥの装着が容易になった。
また、ヘッド基体１０の頂壁１２にばね部材２０の支持部を設けているので、ばね部材２０の弾装が、きわめて簡単に確実に行われるようになった。
【実施例２】
【００２３】
次に、第２実施例について説明する。
本実施例は、ばね部材の形状を変更したもので、以下、同一の構成については同一の符号を付して図示し、相違点を中心に説明する。
【００２４】
図５において、Ｄはノズルヘッド、Ｅはノズルカバー、４０はノズルヘッドＤとノズルカバーＥとの間に弾装されたばね部材である。
ばね部材４０は、合成樹脂によって成形され、断面長円形の弾性体４１に脚部４２が設けられ、脚部４２は、ノズルヘッドＤの頂壁１２に穿孔された支持孔２１に装着され、弾性体４１自体は、支持凹部２２に載置される。
【００２５】
本実施例は、ばね部材４０が断面長円形の弾性体４１によって形成されているので、弾発力が安定するという作用効果が得られ、その他は、前実施例と同様の作用効果を得ることができる。
【実施例３】
【００２６】
次に、第３実施例について説明する。
本実施例は、ばね部材と、ばね部材を支持するノズルヘッドの形状を変更したものである。
【００２７】
図６において、Ｄａはノズルヘッド、Ｅはノズルカバー、５０はばね部材である。
ノズルヘッドＤａは、頂壁５１と、頂壁５１の端縁から垂設され、ポンプＣのステム５に嵌着する嵌着筒５２とを具えており、嵌着筒５２の外周中間部からフランジ５３が連設され、フランジ５３の外周縁には頂壁５１の高さまで延びる外筒５４が立設されている。
嵌着筒５２の上端部から吐出ノズル５５が連設され、外筒５４を貫通して外方に延びており、フランジ５３、外筒５４によってばね部材５０の支持部が形成されている。
【００２８】
ばね部材５０は、支持環５６と、複数のスプリング５７と、押さえ環５８とからなっており、支持環５６の吐出ノズル５５に対応する部分は、切欠部５９となっており、吐出ノズル５５をまたぐ連結部６０が設けられている。
スプリング５７は、等間隔をおき、かつ吐出ノズル５５と干渉しないように支持環５６の上面から螺旋状に延びており、その上端は、押さえ環５８に連設されている。
【００２９】
本実施例では、スプリング５７は等間隔に配設されているので、弾発力の付与を均等にすることができ、その他は前記各実施例と同様の作用効果を得ることができる。
【００３０】
上記実施例では、ばね部材の支持部としてフランジと外筒を用いたが、前記各実施例と同様にノズルヘッドの頂壁を外筒まで延ばし、頂壁上面にばね部材の支持部を形成するようにしてもよい。
【産業上の利用可能性】
【００３１】
本発明は、カバー基体とノズル蓋部とをヒンジ機構を介して連設し、ノズルカバーの上壁下面に設けた軸受け部をヘッド基体に立設した支持片の軸ピンに係合させて、ノズルカバーを廻動して、ノズル蓋部先端の蓋板に吐出ノズルの吐出口から廻動させるようにしたから、操作性が優れ、粘性を有する液体吐出容器として広く利用できるようになった。
【図面の簡単な説明】
【００３２】
【図１】本発明第１実施例の液体吐出器の断面立面図である。
【図２】ノズルカバーを被せたノズルヘッドの説明図で、（ａ）は上面図、（ｂ）は断面立面図、（ｃ）は底面図である。
【図３】ノズルヘッドの上面図である。
【図４】ノズルヘッドの押下げ時の断面立面図である。
【図５】第２実施例のノズルカバーを被せたノズルヘッドの説明図で、（ａ）は断面立面図、（ｂ）はノズルヘッドの押下げ時の断面立面図である。
【図６】第３実施例のノズルカバーを被せたノズルヘッドの説明図で、（ａ）は断面立面図、（ｂ）はばね部材の斜視図、（ｃ）はノズルヘッドの押下げ時の断面立面図である。
【符号の説明】
【００３３】
Ａ                容器
Ｂ                取付キャップ
Ｃ                ポンプ
Ｄ、Ｄａ          ノズルヘッド
Ｅ                ノズルカバー
１                口筒部
２                シリンダー
３                ピストン部材
４                案内筒
５                ステム
６                吸上げパイプ
１０              ヘッド基体
１１、５５        吐出ノズル
１２、２７、５１  頂壁
１３、２８        側周壁
１４、５２        嵌着筒
１５              流路
１６              吐出口
２０、４０、５０  ばね部材
２１              支持孔
２２              支持凹部
２３              軸ピン
２４              支持片
２５              カバー基体
２６              ノズル蓋部
３１              上壁
３２              側壁
３３              蓋板
３４              係合部
３５              軸受け部
３６、４１        弾性体
３７、４２        脚部
５３              フランジ
５４              外筒
５６              支持環
５７              スプリング
５８              押さえ環
５９              切欠部
６０              連結部
【図１】
2008114862.tif 000003
【図２】
2008114862.tif 000004
【図３】
2008114862.tif 000005
【図４】
2008114862.tif 000006
【図５】
2008114862.tif 000007
【図６】
2008114862.tif 000008